(57)【要約】【課題】本発明は、本体ユニットとは別体の操作ユニットを備え、多重伝送方式よりも短時間で設定値変更が可能な熱線センサ用端末装置を提供することを目的とする。【解決手段】遠隔制御監視システムに備えられた熱線センサ用端末装置２は、信号線Ｌｓと接続して多重伝送方式による伝送信号の送受信を行う本体ユニット２１と、本体ユニット２１と専用線Ｌ１で接続された操作ユニット２２と、本体ユニット２１と専用線Ｌ２で接続された子機ユニット２３と、を備える。そして、操作ユニット２２が、操作入力を受け付けて、本体ユニット２１と通信を行い、熱線センサ用端末装置２における各種設定項目に対する設定値が変更される。【選択図】図１
2010232799.tif 000002
【特許請求の範囲】
【請求項１】
信号線と接続されて時分割多重伝送方式による伝送信号を送受信する伝送信号用通信部と、人体から放射される熱線を検知する熱線センサと、該熱線センサによる検知結果が与えられて当該検知結果に基づく伝送信号を生成して前記多重伝送通信部より中央制御装置に送信させる信号処理部とを、その本体ユニットに備える熱線センサ用端末装置であって、
前記信号処理部で前記熱線センサに基づく演算処理を行う際の設定値の入力を受け付けて、入力を受け付けた設定値による設定信号を前記本体ユニットに送信する、前記本体ユニットと別体の操作ユニットと、
前記本体ユニットに設けられ、有線による専用線を介して前記操作ユニット接続されて前記操作ユニットからの設定信号を受信する設定信号用通信部と、
を更に備え、
前記設定信号通信部が前記設定ユニットからの設定信号を受信したとき、前記信号処理部が該設定信号に基づいて前記演算処理における設定値を変更することを特徴とする熱線センサ用端末装置。
【請求項２】
請求項１において、
前記専用線による前記本体ユニットと前記操作ユニットとの間の通信が双方向通信であることを特徴とする熱線センサ用端末装置。
【請求項３】
請求項１又は請求項２において、
前記本体ユニットが、前記信号処理部の前記演算処理における設定値の入力を受け付ける操作部を更に備えることを特徴とする熱線センサ用端末装置。
【請求項４】
請求項１乃至請求項３のいずれか一項において、
前記本体ユニットが、前記設定信号を表示する表示部を更に備えることを特徴とする熱線センサ用端末装置。
【請求項５】
請求項１乃至請求項４のいずれか一項において、
前記熱線センサの検知結果に基づいて前記伝送信号を生成して送信した送信回数を計数する計数部を更に備えることを特徴とする熱線センサ用端末装置。
【請求項６】
請求項１乃至請求項５のいずれか一項において、
前記負荷機器が照明装置であって、
前記照明装置の点灯時間を計測する計時部を更に備えることを特徴とする熱線センサ用端末装置。
【請求項７】
請求項１において、
前記設定信号用通信部が、前記専用線を介して、熱線センサを備えて該熱線センサの検知結果を送信する子機ユニットとも接続することを特徴とする熱線センサ用端末装置。
【請求項８】
請求項１乃至請求項７のいずれか一項において、
前記操作ユニットが、前記設定信号を表示する表示部を更に備えることを特徴とする熱線センサ用端末装置。
【発明の詳細な説明】
【技術分野】
【０００１】
本発明は、人体からの熱線を検知する熱線センサを備えて熱線センサにより熱線を検知したときに負荷機器を制御させる熱線センサ用端末装置に関するもので、特に、多重伝送方式による遠隔制御監視システムに備えられる熱線センサ用端末装置に関する。
【背景技術】
【０００２】
従来より、照明装置又は換気扇などといった負荷機器の制御や、警報器からの警報や電気錠の開閉状態といった接点状態の管理を行う遠隔制御監視システムにおいて、人体から放射される熱線を検知する熱線センサを備えた熱線センサ用端末装置が設置されたものが提案されている。このような遠隔制御監視システム内に設置される熱線センサ用端末装置は、熱線を検知する熱線センサを備える。そして、熱線センサ用端末装置は、熱線センサで人体からの熱線を検知したときに、遠隔制御監視システム内の通信を管理する中央制御装置（ＣＰＵ）に対して、割込通信を行って、熱線の検知及び非検知について通知する。
【０００３】
よって、ＣＰＵは、この熱線センサ用端末装置から熱線の検知が通知されて、所定領域内に人体が存在していることを認識すると、その検知した領域に設置された照明装置又は換気扇などを駆動させるなどのように、所定の負荷機器を所定の動作状態に制御する。一方、熱線センサ用端末装置は、熱線の非検知状態から所定の動作保持時間が経過したとき、ＣＰＵに熱線の非検知を通知する。これにより、ＣＰＵは、所定領域内に人体が不在となっていることを認識し、その検知した領域に設置された照明装置又は換気扇などを停止させるなどのように、所定の負荷機器を所定の動作状態に制御する。
【０００４】
このような遠隔制御監視システムに利用される熱線センサ用端末装置として、上述の動作保持時間をはじめとする各設定項目の内容を変更するための操作部を備えた熱線センサ付自動スイッチが提案されている（特許文献１参照）。特許文献１では、熱線センサ付自動スイッチの１つとして、操作部を自動スイッチ本体に設けた構成とするとともに、その操作部によって設定された設定項目の内容を表示させる液晶表示部を設けたものを提案している。しかしながら、このように操作部を自動スイッチ本体に設けた構成とした場合、熱線センサ付自動スイッチが天井面に設置されるため、天井面で設定項目の変更作業が行わなければならず、その作業が繁雑なものとなる。
【０００５】
このような天井面における設定作業を不要とするために、特許文献１では、更に、設定値を変更するための操作部が、自動スイッチ本体と別体の端末装置として構成された、熱線センサ付自動スイッチを提案している。このように構成することで、作業者は、自動スイッチ本体と別体の、操作部となる端末装置を操作することで、熱線センサ付自動スイッチの設定値を変更できる。このとき、操作部となる端末装置が、多重伝送方式による通信を行うことで、入力を受け付けた設定値を、遠隔制御監視システム内の中央制御装置（ＣＰＵ）を介して自動スイッチ本体に通知して、熱線センサ付自動スイッチにおける設定値が変更される。
【先行技術文献】
【特許文献】
【０００６】
【特許文献１】特許第３８８８２８６号公報
【発明の概要】
【発明が解決しようとする課題】
【０００７】
このように、特許文献１では、自動スイッチ本体と別体の操作部となる端末装置によって、その設定値の変更が可能となった熱線センサ付自動スイッチが、提案されている。しかしながら、この熱線センサ付自動スイッチの場合、操作部となる端末装置は、遠隔制御監視システム内での通信によって、自動スイッチ本体に対する設定値の変更がなされるため、遠隔制御監視システムを管理するＣＰＵとの通信が必要となる。即ち、操作部となる端末装置は、設定値変更を行うために、ＣＰＵによるポーリング動作に対して割込動作を行った後に、設定値変更を示すための監視データをＣＰＵに送信する。そして、ＣＰＵが、この操作部の監視データによって確認された設定値変更を確認し、この確認した設定値変更を行うための制御データを、自動スイッチ本体に対して送信する。そのため、操作部から自動スイッチ本体への通信に時間が必要となる。よって、多重伝送方式による通信タイミングによっては、熱線センサ付自動スイッチの設定値変更にかかる時間が長くなってしまう。
【０００８】
このような問題を鑑みて、本発明は、本体ユニットとは別体の操作ユニットを備え、多重伝送方式よりも短時間で設定値変更が可能な熱線センサ用端末装置を提供することを目的とする。
【課題を解決するための手段】
【０００９】
上記目的を達成するために、本発明の熱線センサ用端末装置は、信号線と接続されて時分割多重伝送方式による伝送信号を送受信する伝送信号用通信部と、人体から放射される熱線を検知する熱線センサと、該熱線センサによる検知結果が与えられて当該検知結果に基づく伝送信号を生成して前記多重伝送通信部より中央制御装置に送信させる信号処理部とを、その本体ユニットに備える熱線センサ用端末装置であって、前記信号処理部で前記熱線センサに基づく演算処理を行う際の設定値の入力を受け付けて、入力を受け付けた設定値による設定信号を前記本体ユニットに送信する、前記本体ユニットと別体の操作ユニットと、前記本体ユニットに設けられ、有線による専用線を介して前記操作ユニット接続されて前記操作ユニットからの設定信号を受信する設定信号用通信部と、を更に備え、前記設定信号通信部が前記設定ユニットからの設定信号を受信したとき、前記信号処理部が該設定信号に基づいて前記演算処理における設定値を変更することを特徴とする。
【００１０】
このような熱線センサ用端末装置において、前記専用線による前記本体ユニットと前記操作ユニットとの間の通信が双方向通信であるものとしてもよい。このとき、前記本体ユニットが、前記信号処理部の前記演算処理における設定値の入力を受け付ける操作部を更に備えるものであってもよい。そして、前記本体ユニットが、前記設定信号を表示する表示部を更に備えるものであってもよい。
【００１１】
このように、前記専用線で双方向通信を行うものとしたとき、前記本体ユニットの前記操作部で入力が受け付けられた設定値が前記操作ユニットに送信できる構成となる。よって、前記本体ユニット及び前記操作ユニットいずれにおいて、前記演算処理の設定値の変更が受け付けられても、前記本体ユニット及び前記操作ユニットが双方向通信を行うことで、相互に変更された設定値を通知できる。
【００１２】
更に、前記熱線センサの検知結果に基づいて前記伝送信号を生成して送信した送信回数を計数する計数部を更に備えるものであってもよいし、照明装置の点灯時間を計測する計時部を更に備えるものであってもよい。
【００１３】
又、前記設定信号用通信部が、前記専用線を介して、熱線センサを備えて該熱線センサの検知結果を送信する子機ユニットとも接続するものであってもよい。即ち、前記子機ユニットと接続される専用線に前記操作ユニットが接続されるものとすることで、前記本体ユニットが前記操作ユニットと前記子機ユニットとを同一の専用線で接続して、それぞれと通信可能な構成とできる。
【００１４】
上述の熱線センサ用端末装置において、前記操作ユニットが、前記設定信号を表示する表示部を更に備えるものであってもよい。
【発明の効果】
【００１５】
本発明によると、本体ユニットと別体の操作ユニットを備えるとともに、本体ユニットと操作ユニットとを専用線によって接続した構成としたため、従来のように、多重伝送方式で設定値変更を行うものと比べて、その通信にかかる時間を短縮できる。即ち、多重伝送方式により設定値変更を行う場合は、中央制御装置のポーリングに対して割込を行った後に、中央制御装置を介して、その変更する設定値を本体ユニットに送信する必要があるが、本発明の場合は、操作ユニットが直接本体ユニットと通信できる。よって、多重伝送方式を利用した場合の中央制御装置への割込や中央制御装置を介した通信が不要となるため、設定値変更のための通信を簡単化できるだけでなく、その通信にかかる時間を短縮できる。
【図面の簡単な説明】
【００１６】
【図１】は、第１の実施形態の熱線センサ用端末装置を備えた遠隔制御監視システムの構成を示すブロック図である。
【図２】は、第１の実施形態の熱線センサ用端末装置の本体ユニットの内部構成を示すブロック図である。
【図３】は、図２に示す本体ユニットにおける、化粧用プレートを外した状態の下面図である。
【図４】は、第１の実施形態の熱線センサ用端末装置の操作ユニットの内部構成を示すブロック図である。
【図５】は、図４に示す操作ユニットの外観構成を示す図であり、（ａ）が表面側の外観図であり、（ｂ）が裏面側の外観図である。
【図６】は、第２の実施形態の熱線センサ用端末装置の操作ユニットの内部構成を示すブロック図である。
【図７】は、第３の実施形態の熱線センサ用端末装置を備えた遠隔制御監視システムの構成を示すブロック図である。
【図８】は、第３の実施形態の熱線センサ用端末装置の本体ユニットの内部構成を示すブロック図である。
【図９】は、図８に示す本体ユニットにおける、化粧用プレートを外した状態の下面図である。
【図１０】は、第３の実施形態の熱線センサ用端末装置の操作ユニットの内部構成を示すブロック図である。
【図１１】は、図１０に示す操作ユニットの外観構成を示す、表面側の外観図である。
【発明を実施するための形態】
【００１７】
＜第１の実施形態＞
本発明の第１の実施形態における熱線センサ用端末装置について、図面を参照して以下に説明する。図１は、本実施形態の熱線センサ用端末装置を備えた遠隔制御監視システムの構成を示すブロック図である。図２は、本実施形態の熱線センサ用端末装置の本体ユニットの内部構成を示すブロック図である。図３は、図２に示す本体ユニットにおける、化粧用プレートを外した状態の下面図である。図４は、本実施形態の熱線センサ用端末装置の操作ユニットの内部構成を示すブロック図である。図５は、図４に示す操作ユニットの外観構成を示す図であり、（ａ）が表面側の外観図であり、（ｂ）が裏面側の外観図である。
【００１８】
１．遠隔制御監視システム
図１に示す遠隔制御監視システムは、時分割多重方式による伝送信号を信号線Ｌｓに対して周期的に送信する中央制御装置（ＣＰＵ）１と、人体からの熱線を検出する熱線センサを備えた熱線センサ用端末装置２と、壁スイッチなどによる操作スイッチ４の操作監視を行うスイッチ端末装置３と、照明装置や換気扇などの負荷機器６の電源ＯＮ／ＯＦＦを制御する制御端末装置５と、を備える。
【００１９】
このように構成される遠隔制御監視システムにおいて、２線式の信号線Ｌｓを用いた双極性（±２４Ｖ）の時分割多重信号による時分割多重伝送方式を採用している。この遠隔制御監視システムでは、上述したように、時分割多重信号である伝送信号が、ＣＰＵ１より周期的に送信される。この伝送信号は、同期パルス、信号のモードを示すモードデータ、送信相手となる（アクセスする）端末装置（熱線センサ用端末装置２、スイッチ端末装置３、及び制御端末装置５に相当する）のアドレス（８ビット）を示すアドレスデータ、制御内容を示す制御データ、伝送誤りを検出するためのチェックサムデータ、及び、端末装置からの返信信号を返信させるためのタイムスロットである信号返送期間によって構成され、各データは、パルス幅変調によって形成される。
【００２０】
端末装置（熱線センサ用端末装置２、スイッチ端末装置３、及び制御端末装置５に相当する）は、信号線Ｌｓを介して受信した伝送信号のアドレスデータが、それぞれに設定されているアドレスに一致すると、その時分割多重信号の制御データの内容を解析する。更に、この端末装置は、設定されているアドレスに一致したアドレスデータを含む伝送信号に対して、その信号返送期間に同期して監視データを電流モードの信号（信号線Ｌｓを適当な低インピーダンスを介して短絡することで送出される信号）として返送する。
【００２１】
以下では、説明を簡単にするため、図１に示す遠隔制御監視システムは、制御端末装置５に対して、制御対象となる１つの負荷機器６が接続された構成とする。この構成に対応するため、スイッチ端末装置３は、操作スイッチ４として、負荷機器６のＯＮ／ＯＦＦを指示するためのスイッチと、熱線センサ用端末装置２による制御動作についてのＯＮ／ＯＦＦを指示するためのスイッチとを備える。尚、１台のスイッチ端末装置３が複数の操作スイッチ４を備えるとともに、１台の制御端末装置５が複数の負荷機器６を制御するものとしてもよい。このとき、スイッチ端末装置３及び制御端末装置５それぞれにおいて、その操作スイッチ４及び負荷機器６それぞれを個別に認識するために、アドレスが階層化される。即ち、スイッチ端末装置３及び制御端末装置５に設定される端末用のアドレスの下位に、各操作スイッチ４及び各負荷機器６のそれぞれを個別に識別するための負荷番号が設定され、端末用のアドレスと負荷番号との組合せを上述のアドレスとして用いる。
【００２２】
ＣＰＵ１は、アドレスデータによるアドレスをサイクリックに変化させた伝送信号を送信することで、熱線センサ用端末装置２、スイッチ端末装置３、及び制御端末装置５それぞれに順次アクセスする常時ポーリングを行う。このような常時ポーリングがなされているときに、スイッチ端末装置３は、操作スイッチ４の操作により監視入力が発生すると、伝送信号のスタートパルスに同期して、割込信号を発生させる。この割込信号を受信したＣＰＵ１は、割込信号を発生したスイッチ端末装置３を探索するための割込ポーリングを行う。
【００２３】
このとき、割込信号を送信したスイッチ端末装置３は、割込ポーリングによってＣＰＵ１に特定されると、続けてＣＰＵ１から送信される監視モードの伝送信号に対して、操作スイッチ４への操作に対応した監視データをＣＰＵ１に返送する。その後、スイッチ端末装置３による割込動作を完了させるため、ＣＰＵ１は、割込フラグのリセットを指示する伝送信号を生成し、スイッチ端末装置３に送信して、スイッチ端末装置３に割込フラグを解除させる。
【００２４】
このようなスイッチ端末装置３の割込動作が行われたとき、負荷機器６のＯＮ／ＯＦＦを指示する操作スイッチ４が操作されている場合は、ＣＰＵ１は、制御対象となる負荷機器６と接続した制御端末装置５に対する制御データを生成する。そして、ＣＰＵ１が、この制御データと制御端末装置５を指定するアドレスデータとを含む伝送信号を、制御端末装置５に送信し、この伝送信号を受信した制御端末装置５が、制御データに基づいて負荷機器６のＯＮ／ＯＦＦを制御する。その後、制御端末装置５は、負荷機器６の動作状態を示す監視データをＣＰＵ１に返送するため、この監視データを受信したＣＰＵ１は、スイッチ端末装置３に伝送信号を送信する。これにより、スイッチ端末装置３は、負荷機器６に対応する操作スイッチ４における表示を、負荷機器６のＯＮ／ＯＦＦ状態に応じた表示に切り換える。
【００２５】
一方、熱線センサ用端末装置２による制御動作のＯＮ／ＯＦＦを指示する操作スイッチ４が操作されている場合は、ＣＰＵ１は、熱線センサ用端末装置２を指定するアドレスデータと、熱線センサ用端末装置２における制御動作のＯＮ／ＯＦＦを指示する制御データとによる伝送信号を生成して、熱線センサ用端末装置２に送信する。この伝送信号を受信した熱線センサ用端末装置２は、伝送信号の制御データに基づいて、その制御動作をＯＮ／ＯＦＦ状態とする。その後、熱線センサ用端末装置２は、その制御動作の状態を示す監視データをＣＰＵ１に返送するため、この監視データを受信したＣＰＵ１は、スイッチ端末装置３に伝送信号を送信する。これにより、スイッチ端末装置３は、熱線センサ用端末装置２の制御動作のＯＮ／ＯＦＦを指示するための操作スイッチ４における表示を、熱線センサ用端末装置２の制御動作の状態に応じた表示に切り換える。
【００２６】
２．熱線センサ用端末装置の構成
図１のような構成の熱線センサ用端末装置２は、本体ユニット２１において、本体ユニット２１及び子機ユニット２３それぞれに具備された熱線センサによる人体から放射される熱線の検出結果に基づき、負荷機器６の動作状態を決定する。即ち、本体ユニット２１は、人体からの熱線の検出結果によって、所定の領域内における人体の存否を認識し、この人体の存否に応じて負荷機器６のＯＮ／ＯＦＦを決定する。このとき、例えば、負荷機器６が照明装置又は換気扇である場合、所定の領域内に人体が存在することを検知したときは、負荷機器６をＯＮとし、所定の領域内に人体が存在していないことを検知したときは、負荷機器６をＯＦＦとする。
【００２７】
そして、本体ユニット２１は、負荷機器６の動作状態の変更を指示するため、ＣＰＵ１から信号線Ｌｓを介して送信されるポーリング用の伝送信号に同期して、割込信号を送信する。その後、ＣＰＵ１が、割込ポーリングによって、熱線センサ用端末装置２を特定すると、その本体ユニット２１は、ＣＰＵ１からの伝送信号に対して、決定した負荷機器６の動作状態を指定するための監視データを返送する。これにより、ＣＰＵ１は、割込フラグを解除させるための伝送信号を本体ユニット２１に送信した後、熱線センサ用端末装置２によって指定された負荷機器６の動作状態を制御するための伝送信号を、その負荷機器６を制御する制御端末装置５に送信する。よって、制御端末装置５が、受信した伝送信号の制御データに基づいて、指定された負荷機器６のＯＮ／ＯＦＦを制御する。
【００２８】
このように、信号線Ｌｓに接続された本体ユニット２１は、ＣＰＵ１によって通信が管理される遠隔制御監視システム内に設けられることで、目的とする負荷機器６の動作状態を制御するために、熱線の検知に対応した監視データをＣＰＵ１に返送する。又、上述したように、操作ユニット２２及び子機ユニット２３のそれぞれは、本体ユニット２１に対して、異なる信号線である専用線Ｌ１，Ｌ２を介して接続される。尚、図１において、専用線Ｌ２に接続される子機ユニット２３を１台としているが、複数台の子機ユニット２３が、本体ユニット２１と通信するために、同一の専用線Ｌ２に接続できる。このように、子機ユニット２３が専用線Ｌ２に接続されることで、人体の存否を検出する領域を広げることができる。
【００２９】
又、専用線Ｌ１には、操作ユニット２２だけが接続されるため、本体ユニット２１と操作ユニット２２との間で決められた通信プロトコルにより、双方向通信を行うことができる。即ち、専用線Ｌ２による通信は、本体ユニット２１が、子機ユニット２３からの検知結果を受信する片方向通信であるが、専用線Ｌ１による通信は、本体ユニット２１が、その通信順位を管理などすることにより、本体ユニット２１と操作ユニット２２との間で双方向通信が確立される。尚、この専用線Ｌ１による通信についても、操作ユニット２２から本体ユニット２１に対して信号を送信する片方向通信であってもよい。
【００３０】
（本体ユニット）
このような熱線センサ用端末装置２における本体ユニット２１の詳細について、以下に説明する。図２は、熱線センサ用端末装置２における本体ユニット２１の内部構成を示すブロック図である。図３は、図２に示す本体ユニット２１の構成を示す、化粧用プレートを外した状態における下図である。
【００３１】
図２に示すように、本体ユニット２１は、人体から放射される熱線を検出する焦電素子のような熱線センサ１２１（図４参照）を具備した熱線センサ検出回路１０１と、熱線センサ検出回路１０１及び子機ユニット２３それぞれからの検出結果となるセンサ信号を受信するセンサ信号用通信回路１０２と、本体ユニット２１の設置領域周辺の照度を検出する明るさ検出回路１０３と、ＣＰＵ１からの伝送信号を受信するとともに監視データをＣＰＵ１に返送する伝送信号用通信回路１０４と、信号線Ｌｓに接続された電源回路１０５と、専用線Ｌ１と接続されて操作ユニット２２と通信を行う設定信号用通信回路１０６と、各種設定項目などを表示する液晶表示回路１０７と、外部からの操作を受け付ける操作入力回路１０８と、無線通信を行うアドレス設定用通信回路１０９と、熱線センサ用端末装置２に対して割り付けられたアドレスなどを記憶する不揮発性メモリ１１０と、本体ユニット２１全体の制御を行う信号処理回路１１１と、時間を計測するタイマ回路１１２と、を備える。
【００３２】
そして、図３に示すように、本体ユニット２１は、その化粧プレートが外された端面（天井への設置面の逆側となる端面）において、熱線センサ検出回路１０１の一部となる熱線センサ１２１と、液晶表示回路１０７の一部となる液晶ディスプレイ１２２と、を備える。又、本体ユニット２１は、熱線センサ１２１が突設された端面に、熱線センサ用端末装置２のアドレスを設定するための光信号（赤外線信号）を受信するための光信号送受信部１２７を、アドレス設定用通信回路１０９の一部として備える。そして、この熱線センサ１２１が設置された端面には、アドレス設定用通信回路１０９の一部として、更に、光信号送受信部１２７で光信号を受信したことを示す受信表示ランプ１２８が設置される。
【００３３】
更に、本体ユニット２１は、この熱線センサ１２１が設置された端面に、作業者による操作を受け付けるためボタン１２３〜１２６を備え、このボタン１２３〜１２６への操作による信号が操作入力回路１０８に与えられる。尚、ボタン１２３が、設定対象となる値を切り換えるための入力を受け付け、ボタン１２４が、設定項目の選択を指令するための入力を受け付け、ボタン１２５が、設定項目の非選択を指令するための入力を受け付け、ボタン１２６が、設定された値（設定値）を決定するための入力を受け付ける。
【００３４】
このように構成される本体ユニット２１は、信号線Ｌｓと接続された電源回路１０５において、信号線Ｌｓを送信されている伝送信号を全波整流した後に、安定化することによって、定電圧となる直流電圧を取得する。この電源回路１０５で取得された直流電圧は、本体ユニット２１内部の各ブロックに対して供給される。又、伝送信号用通信部１０４は、信号線Ｌｓを介して送信される伝送信号を受信し、そのアドレスデータによるアドレスが、不揮発メモリ１１０に記憶されたアドレスと一致するか否かにより、自機器に対して送信された伝送信号であるか否かを確認する。又、監視データをＣＰＵ１に返送する場合は、伝送信号用通信部１０４が、信号処理回路１１１からの伝送信号に同期させて、生成した監視データを送信する。
【００３５】
アドレス設定用通信回路１０９は、外部からの光信号を光信号送受信部１２７で受信することで、熱線センサ用端末装置２に対して設定されたアドレスを示すアドレスデータを受信する。このとき、光信号送受信部１２７で光信号を受信したことを外部に通知するために、受信表示ランプ１２８を点灯させる。そして、アドレス設定用通信回路１０９で受信されたアドレスデータは、ＥＥＰＲＯＭなどで構成される不揮発性メモリ１１０に記憶される。又、不揮発性メモリ１１０は、このアドレスデータを初めとし、明るさ検出回路１０３で判定するための閾値となる明るさや、人体が不在となってから負荷機器６のＯＮ動作を保持させる時間（動作保持時間）などを記憶する。尚、この明るさ及び動作保持時間が、操作ユニット２２又は操作入力回路１０８によって設定変更される、「演算処理のための設定値」に相当する。
【００３６】
ボタン１２３〜１２６が操作されることで、操作入力回路１０８が、ボタン１２３〜１２６において入力を受け付けた内容を信号処理回路１１１に通知する。そして、液晶表示回路１０７は、操作入力回路１０８で受け付けられた入力内容に応じた画面を、液晶ディスプレイ１２２に表示させる。即ち、ボタン１２４，１２５が操作されることで、液晶ディスプレイ１２２には、明るさ又は動作保持時間などの設定対象となる項目が表示され、現在の設定値が示される。この現在の設定値は、不揮発性メモリ１１０に記憶されている設定値が信号処理回路１１１によって読み出されて、液晶表示回路１０７に与えられることで、液晶ディスプレイ１２２に表示される。そして、ボタン１２３が操作されることで、設定値の変更が操作入力回路１０８から信号処理回路１１１に通知されるため、変更された設定値が、液晶ディスプレイ１２２に表示される。
【００３７】
更に、操作入力回路１０８は、ボタン１２６への操作入力を受け付けることで、ボタン１２４，１２５への操作により選択された設定項目に対する設定値を、ボタン１２３への操作により変更された値に決定する。このとき、操作入力回路１０８は、設定項目に対して決定した設定値を信号処理回路１１１に通知する。そして、信号処理回路１１１は、この操作入力回路１０８より通知された設定値を、不揮発性メモリ１１０に記憶させる。これにより、操作入力回路１０８への操作入力に基づいて、明るさ又は動作保持時間などの設定項目に対して、その設定値が決定されると、不揮発性メモリ１１０に記憶されている設定値が、新たに決定された設定値に更新される。
【００３８】
尚、動作保持時間を設定項目としている場合は、ボタン１２３の操作により、センサ信号通信回路１０２からの検出結果を無効とすると同時に、負荷機器６を強制的にＯＮ又はＯＦＦとすることが、指定できる。このとき、ボタン１２６が操作されると、信号処理回路１１１は、センサ信号用通信回路１０２をＯＦＦとするとともに、伝送信号用通信回路１０４にＣＰＵ１との通信を指令し、負荷機器６をＯＮ又はＯＦＦとするための監視データをＣＰＵ１に返送させる。又、明るさを設定項目としている場合は、ボタン１２３の操作により、明るさ検出回路１０３をＯＦＦとすることも指定できる。このとき、ボタン１２６が操作されると、信号処理回路１１１は、明るさ検出回路１０３をＯＦＦとし、本体ユニット２１周辺の照度による負荷機器６の制御機能を無効とする。
【００３９】
熱線センサ検出回路１０１は、専用線Ｌ２を介してセンサ信号用通信回路１０２と接続され、人体から放射される熱線を検出した熱線センサ１２１からの電気信号を増幅し、センサ信号として、センサ信号用通信回路１０２に送信する。この熱線センサ１２１によるセンサ信号は、センサ信号用通信回路１０２から専用線Ｌ２へ給電する電圧を変化させる電圧信号である。即ち、熱線センサ１２１は、検出した熱線量に応じて、専用線Ｌ２に給電される電圧値を低下させることで、熱線の検出をセンサ信号用通信回路１０２に通知する。同様に、専用線Ｌ２に接続された子機ユニット２３においても、具備する熱線センサによって、熱線が検出されたときは、専用線Ｌ２に給電される電圧値が低下される。
【００４０】
よって、センサ信号用通信回路１０２は、専用線Ｌ２の電圧値を監視することで、本体ユニット２１の熱線センサ１２１又は子機ユニット２３のいずれかにおいて、人体からの熱線の検出の有無を認識する。そして、センサ信号用通信回路１０２は、専用線Ｌ２の電圧値が低下して、人体からの熱線が熱線１２１又は子機ユニット２３のいずれかにより検出されたことを認識すると、信号処理回路１１１に対して、所定領域に人体が存在することを通知する。一方、低下している専用線Ｌ２の電圧値が基準値に復帰したときは、センサ信号用通信回路１０２は、人体からの熱線が非検出となったことを認識し、信号処理回路１１１に対して、所定領域に人体が不在となったことを通知する。このように、センサ信号用通信回路１０２は、専用線Ｌ２で接続された熱線センサ１２１又は子機ユニット２３から、電圧信号によるセンサ信号を受信し、そのセンサ信号に基づく人体の存否を信号処理回路１１１に通知する。
【００４１】
信号処理回路１１１は、センサ信号用通信回路１０２より熱線の検出が開始されたことを通知されたとき、伝送信号用通信回路１０４による通信を行い、負荷機器６をＯＮとするための監視データをＣＰＵ１に送信する。又、センサ信号用通信回路１０２より熱線が非検出となったことが信号処理回路１１１に通知されたとき、信号処理回路１１１は、タイマ回路１１２で計測される時間を確認し、不揮発性メモリ１１０に記憶された動作保持時間と比較する。そして、信号処理回路１１１は、不揮発性メモリ１１０に記憶された動作保持時間分の時間が経過したことを確認すると、伝送信号用通信回路１０４による通信を行い、負荷機器６をＯＦＦとするための監視データをＣＰＵ１に送信する。
【００４２】
明るさ検出回路１０３は、硫化カドミウムセンサ、フォトダイオード、フォトトランジスタなどといった照度センサを具備し、本体ユニット２１の設置領域周辺の明るさを測定する。そして、明るさ検出回路１０３は、照度センサで測定した明るさ（照度）を、不揮発性メモリ１１０に記憶した明るさの閾値と比較し、その比較結果を信号処理回路１１１に通知する。尚、信号処理回路１１１は、照度センサで測定した明るさが、不揮発性メモリ１１０に記憶された閾値より明るい場合は、センサ信号用通信回路１０２から通知される熱線の検出結果を無効とする。一方、信号処理回路１１１は、照度センサで測定した明るさが、不揮発性メモリ１１０に記憶された閾値より暗い場合は、センサ信号用通信回路１０２から通知される熱線の検出結果を有効とする。
【００４３】
設定信号用通信回路１０６は、専用線Ｌ１を介して操作ユニット２２と接続され、操作ユニット２２から送信される、パルス信号による設定信号を受信する。この設定信号用通信回路１０６は、センサ信号用通信回路１０２と同様、専用線Ｌ１に対して所定電圧を給電し、専用線Ｌ１の電圧値を監視している。よって、操作ユニット２２から設定信号が送信されるときは、電圧値を変化させたパルス信号が専用線Ｌ１上に現れ、設定信号用通信回路１０６は、このパルス信号を確認することで、操作ユニット２２からの設定信号を受信する。
【００４４】
尚、本体ユニット２１と操作ユニット２２との間で双方向通信が確立されるときは、設定信号用通信回路１０６は、専用線Ｌ１に供給する電圧値を変化させた電圧パルスを生成し、操作ユニット２２に対して電圧信号を送信する。この双方向通信が確立されているとき、操作入力回路１０８による変更されて不揮発性メモリ１１０に記憶された設定値が、信号処理回路１１１によって読み出されて、設定信号用通信回路１０６より操作ユニット２２に送信される。このとき、更に、操作ユニット２２で設定項目の設定値が変更される場合においても、その設定項目に対する現在の設定値が、信号処理回路１１１によって読み出されて、設定信号用通信回路１０６より操作ユニット２２に送信される。
【００４５】
（操作ユニット）
上述の本体ユニット２１に対して設定値変更を指令するための操作ユニット２２の詳細について、以下に説明する。図４は、熱線センサ用端末装置２における操作ユニット２２の内部構成を示すブロック図である。図５は、図４の操作ユニット２２の構成を示す、外観図である。
【００４６】
図４に示すように、操作ユニット２２は、専用線Ｌ１と接続されて本体ユニット２１と通信を行う設定信号用通信回路２０１と、専用線Ｌ１に接続して操作ユニット２２内に電源供給を行う電源回路２０２と、各種設定項目などを表示する液晶表示回路２０３と、外部からの操作を受け付ける操作入力回路２０４と、操作ユニット２２全体の制御を行う信号処理回路２０５と、を備える。この操作ユニット２２は、本体ユニット２１と専用線Ｌ１を介して通信することによって、上記「演算処理のための設定値」となる、不揮発性メモリ１１０に記憶された明るさの閾値及び動作保持時間を設定するための入力を、受け付ける。
【００４７】
又、操作ユニット２２は、壁面に設置される構成とされ、図５（ａ）に示すように、その壁面から表出される表面が、開閉する化粧扉２２１で覆われる。そして、操作ユニット２２は、化粧扉２２１を開いたとき、その表面上に、液晶表示回路２０３の一部となる液晶ディスプレイ２２２と、作業者による操作を受け付けるためボタン２２３〜２２６と、を備える。このとき、ボタン２２３〜２２６への操作による信号が操作入力回路２０４に与えられる。そして、ボタン２２３が、設定対象となる値を切り換えるための入力を受け付け、ボタン２２４が、設定項目の選択を指令するための入力を受け付け、ボタン２２５が、設定項目の非選択を指令するための入力を受け付け、ボタン２２６が、設定値を決定するための入力を受け付ける。又、図５（ｂ）に示すように、操作ユニット２２は、その壁面への設置面側となる裏面に、専用線Ｌ１と接続される信号端子２２７を備え、この信号端子２２７が、設定信号用通信回路２０１及び電源回路２０２と接続される。
【００４８】
このように構成されるとき、専用線Ｌ１と接続された電源回路２０２において、専用線Ｌ１に給電されている電圧信号を全波整流した後に、安定化することによって、定電圧となる直流電圧を取得する。この電源回路２０２で取得された直流電圧は、操作ユニット２２内部の各ブロックに対して供給される。そして、設定信号用通信回路２０１は、専用線Ｌ１に対して電圧値を変化させてパルス信号を生成し、操作入力回路２０４で受け付けた入力に応じた設定信号を、本体ユニット２１の設定信号用通信回路１０６に送信する。又、本体ユニット２１との間で双方向通信を行う場合は、設定信号用通信回路２０１は、その受信タイミングにおいて、専用線Ｌ１の電圧値を監視して、本体ユニット２１から送信されたパルス信号による設定信号を受信する。
【００４９】
操作ユニット２２においても、本体ユニット２１と同様、操作入力回路２０４は、ボタン２２３〜２２６が操作されることで、ボタン２２３〜２２６において入力を受け付けた内容を信号処理回路２０５に通知する。そして、液晶表示回路２０３は、操作入力回路２０４で受け付けられた入力内容に応じた画面を、液晶ディスプレイ２２２に表示させる。即ち、ボタン２２４，２２５が操作されることで、液晶ディスプレイ２２２には、設定項目が、その現在の設定値と共に表示される。
【００５０】
この設定項目に対する現在の設定値は、操作ユニット２２からの片方向通信の場合、信号処理回路２０５が記憶している。一方、操作ユニット２２と本体ユニット２１との双方向通信が行われる場合、操作ユニット２２は、設定信号用通信回路２０１から設定信号を本体ユニット２１に送信して、設定項目に対する現在の設定値を要求する。そして、本体ユニット２１は、その不揮発性メモリ１１０に記憶している設定値を示す設定信号を、設定信号用通信回路１０６から操作ユニット２２に送信する。このような通信を操作ユニット２２が本体ユニット２１と行うことで、操作ユニット２２は、設定信号用通信回路２０１で本体ユニット２１からの設定信号を受信する。よって、信号処理回路２０５が、設定項目に対する現在の設定値を確認して液晶表示回路２０３に通知し、指定された設定項目に対する現在の設定値を液晶ディスプレイ２２２に表示させる。
【００５１】
このように、指定された設定項目がその現在の設定値と共に液晶ディスプレイ２２２に表示された状態で、ボタン２２３が操作されると、その設定項目に対する設定値が、ボタン２２３への操作に応じて変更される。即ち、本体ユニット２１におけるボタン１２３が操作されたときと同様、明るさ又は動作保持時間といった設定項目の設定値が、ボタン２２３への操作に対応して変更される。このとき、動作保持時間を設定項目としている場合は、本体ユニット２１のセンサ信号通信回路１０２からの検出結果を無効とすると同時に、負荷機器６を強制的にＯＮ又はＯＦＦとすることが、指定できる。又、明るさを設定項目としている場合は、本体ユニット２１の明るさ検出回路１０３をＯＦＦとすることも指定できる。
【００５２】
このボタン２２３への操作により、指定された設定項目に対する設定値が変更された後、操作入力回路２０４は、ボタン２２６への操作入力を受け付けることで、設定項目に対する設定値を、ボタン２２３の操作に応じて変更された値に決定する。このとき、操作入力回路２０４は、指定された設定項目に対して変更された設定値を、信号処理回路２０５に通知する。そして、信号処理回路２０５が、設定信号用通信回路２０１に設定信号の送信を指示し、設定信号用通信回路２０１が、変更の対象となる設定項目と変更された設定値とを示す設定信号を、専用線Ｌ１を介して本体ユニット２１に送信する。
【００５３】
よって、本体ユニット２１は、設定信号用通信回路１０６において、操作ユニット２２より送信された設定信号を受信すると、その設定信号の内容を解析し、変更の対象となる設定項目と変更された設定値を認識し、信号処理回路１１１に通知する。このとき、本体ユニット２１は、操作入力回路１０８が操作されて、設定項目の設定値が変更されたときと同様の動作を行い、不揮発性メモリ１１０に記憶された明るさ又は動作保持時間などの設定値を更新する。又、本体ユニット２１は、操作ユニット２２からの設定信号より、センサ信号用通信回路１０２からの検出結果を無効とすることを確認した場合は、センサ信号用通信回路１０２をＯＦＦとするとともに、負荷機器６をＯＮ又はＯＦＦとするための監視データをＣＰＵ１に返送する。更に、本体ユニット２１は、操作ユニット２２からの設定信号より、本体ユニット２１周辺の照度による負荷機器６の制御機能を無効とすることを確認した場合は、明るさ検出回路１０３をＯＦＦとする。
【００５４】
＜第２の実施形態＞
本発明の第２の実施形態における熱線センサ用端末装置について、図面を参照して以下に説明する。尚、本実施形態の熱センサ用端末装置を備えた遠隔制御監視システムは、第１の実施形態における遠隔制御監視システム（図１参照）と同様の構成となる。そして、本実施形態の熱線センサ用端末装置は、第１の実施形態の場合と異なり、本体ユニットによる負荷機器を制御するための監視データの返送履歴が、操作ユニットに通知される。このような監視データの返送履歴の送受信機能以外については、第１の実施形態の熱線センサ用端末装置と同一となるため、以下では、この監視データの返送履歴の送受信機能を中心に、その詳細な説明を行う。
【００５５】
本実施形態における熱線センサ用端末装置２は、第１の実施形態と同様、図１に示すように、本体ユニット２１と、本体ユニット２１と専用線Ｌ１と接続した操作ユニット２２と、本体ユニット２１と専用線Ｌ２と接続した操作ユニット２３とで、構成される。そして、専用線Ｌ１は、本体ユニット２１と操作ユニット２２との間で双方向通信が可能な信号線として構成される。又、操作ユニット２２は、図６に示すように、その内部構成として、第１の実施形態における構成図（図４参照）に対して、センサ信号通信回路１０２の検出結果に基づいて負荷機器６を制御させた回数を計数するカウンタ回路２０６を更に備えた構成となる。更に、本体ユニット２１は、第１の実施形態と同様、図２及び図３に示すような構成となる。
【００５６】
このように構成される熱線センサ用端末装置２は、本体ユニット２１がＣＰＵ１に、負荷機器６をＯＮとするための監視データを返送するたびに、本体ユニット２１から操作ユニット２２に、この監視データを送信したことを通知する設定信号を送信する。即ち、本体ユニット２１において、信号処理回路１１１が、センサ用通信回路１０２からの検出結果の通知を受けて、伝送信号用通信回路１０４が、負荷機器６をＯＮとするための監視データをＣＰＵ１に返送したとき、設定信号用通信回路１０６が、この監視データの返送を示す設定信号を操作ユニット２２に送信する。これにより、操作ユニット２２は、その設定信号用通信回路２０１において、負荷機器６をＯＮとするための監視データをＣＰＵ１に返送したこと示す設定用信号を受信する。
【００５７】
そして、操作ユニット２２は、信号処理回路２０５において、負荷機器６をＯＮとするための監視データを本体ユニット２１が返送したことを認識し、このような監視データの送信回数を計数するために、カウンタ回路２０６による計数値を１つ加算させる。尚、この監視データの送信回数が計数されることで、熱線センサの検出結果により負荷機器６をＯＮとした回数を計数できる。このように動作することで、操作ユニット２２は、本体ユニット２１から監視データを返送したことを示す設定信号を受信することで、熱線センサの検出結果に基づいて負荷機器６をＯＮとした回数を、カウンタ回路２０６において記憶できる。
【００５８】
このようにして、操作ユニット２２が、熱線センサの検出結果による負荷機器６のＯＮ回数を、そのカウンタ回路２０６に記憶しているとき、ボタン２２４，２２５が操作されて、この負荷機器６のＯＮ回数の表示が求められると、液晶ディスプレイ２２２に、カウンタ回路２０６に記憶された計数回数が表示される。即ち、ボタン２２４，２２５の操作に従って、操作入力回路２０４が、信号処理回路２０５に対して、負荷機器６のＯＮ回数の表示要求があることを通知すると、信号処理回路２０５は、カウンタ回路２０６に記憶している計数回数を読み出す。そして、信号処理回路２０５が、カウンタ回路２０６による計数回数を、液晶表示回路２０３に与え、液晶ディスプレイ２２２が、負荷機器６のＯＮ回数を表示する。
【００５９】
作業者は、この液晶ディスプレイ２２２の表示を確認することで、熱線センサの検出結果に基づいて負荷機器６がＯＮとなった回数を認識できる。そのため、操作ユニット２２を操作して、動作保持時間や明るさなど設定項目に対する設定値を調整しているとき、この負荷機器６のＯＮとなった回数を参考にして、最適な値に調整できる。即ち、負荷機器６のＯＮとなる回数が多いと感じる場合は、例えば、動作保持時間を長く設定したり、明るさの閾値を暗い値に設定することができる。又、ボタン２２３〜２２６に対して所定の操作がなされることによって、操作入力回路２０４は、カウンタ回路２０６の計数回数のリセットが要求されることを認識する。このとき、信号処理回路２０５は、カウンタ回路２０６の計数回数を、初期値「０」にリセットする。
【００６０】
尚、本実施形態において、カウンタ回路２０６が、負荷機器６のＯＮ回数を計数するものとしたが、熱線センサの検出結果に基づいて負荷機器６がＯＦＦとなった回数を計数するものであってもよいし、負荷機器６がＯＮ／ＯＦＦそれぞれとなった回数を計数するものであってもよい。又、本体ユニット２１が、カウンタ回路を備えて、負荷機器６のＯＮ／ＯＦＦ回数を計数し、その計数回数を設定信号として操作ユニット２２に送信するものとしてもよい。即ち、操作ユニット２２において、液晶ディスプレイ２２２への計数回数の表示が求められたとき、操作ユニット２２は、本体ユニット２１に対して計数回数を要求する。そして、操作ユニット２２は、その計数回数を示す設定信号を本体ユニット２１から受信して、液晶ディスプレイ２２２に計数回数を表示させる。
【００６１】
又、操作ユニット２２が、本体ユニット２１から、負荷機器６をＯＮ／ＯＦＦとする監視データを送信したことを示す設定信号を受信し、カウンタ回路２０６において、負荷機器６をＯＮとした時間を計時するものとしても構わない。このように構成するとき、操作ユニット２２は、本体ユニット２１から、負荷機器６をＯＮとする監視データの送信を通知する設定信号を受信すると、カウンタ回路２０６による、クロックによる計数などの計時動作を開始する。そして、操作ユニット２２は、本体ユニット２１から、負荷機器６をＯＦＦとする監視データの送信を通知する設定信号を受信すると、カウンタ回路２０６による計時動作を停止して、負荷機器６のＯＮ動作の総時間を計時する。
【００６２】
このとき、操作ユニット２２は、負荷機器６のＯＮ動作の総時間を表示することが求められると、このカウンタ回路２０６で計時された時間を、液晶ディスプレイ２２２に表示させる。よって、作業者は、液晶ディスプレイ２２２の表示より、熱線センサの検出結果に基づいて負荷機器６がＯＮとなった時間を確認し、この負荷機器６がＯＮとなった時間を参考にして、動作保持時間や明るさを最適な値に調整できる。又、ボタン２２３〜２２６に対して所定の操作がなされることによって、カウンタ回路２０６が計時した時間がリセットされる。尚、このような負荷機器６がＯＮとなった時間の計時は、本体ユニット２１で行われ、本体ユニット２１が、設定信号を送信することによって、計時した時間を操作ユニット２２に通知するものとしてもよい。
【００６３】
更に、熱線センサの検出結果に基づく負荷機器６のＯＮ／ＯＦＦ回数、或いは、負荷機器６のＯＮとなった時間について、本体ユニット２１の液晶ディスプレイ１２２に表示できるものとしてもよい。これにより、作業者は、本体ユニット２１を操作する場合であっても、液晶ディスプレイ１２２の表示から、負荷機器６のＯＮ／ＯＦＦ回数、或いは、付加行き６のＯＮとなった時間を参考にして、動作保持時間や明るさなどを最適な値に調整できる。
【００６４】
＜第３の実施形態＞
本発明の第３の実施形態における熱線センサ用端末装置について、図面を参照して以下に説明する。図７は、本実施形態の熱線センサ用端末装置を備えた遠隔制御監視システムの構成を示すブロック図である。図８は、本実施形態の熱線センサ用端末装置の本体ユニットの内部構成を示すブロック図である。図９は、図８に示す本体ユニットにおける、化粧用プレートを外した状態の下面図である。図１０は、本実施形態の熱線センサ用端末装置の操作ユニットの内部構成を示すブロック図である。図１１は、図１０に示す操作ユニットの外観構成を示す図であり、（ａ）が表面側の外観図であり、（ｂ）が裏面側の外観図である。
【００６５】
本実施形態の熱線センサ用端末装置２は、第１の実施形態（図１参照）と異なり、図７の遠隔制御監視システムに示すように、子機ユニット２３が接続される専用線Ｌ２に、操作ユニット２２が接続され、専用線Ｌ１が除かれた構成となる。即ち、本実施形態の熱線センサ用端末装置２は、操作ユニット２２及び子機ユニット２３それぞれが、共通の専用線Ｌ２に接続されて、本体ユニット２１への片方向通信を行う。本実施形態の熱線センサ用端末装置２を備えた遠隔制御監視システムは、この熱線センサ用端末装置２の構成以外の構成については、第１の実施形態における遠隔制御監視システムと同一となるため、その詳細な説明は省略する。
【００６６】
１．熱線センサ用端末装置の構成
上述したように、本実施形態の熱線センサ用端末装置２は、専用線Ｌ２によって操作ユニット２２及び子機ユニット２３のそれぞれが本体ユニット２１に接続された構成となっている。そのため、操作ユニット２２は、子機ユニット２３と同様、本体ユニット２１に対して片方向通信を行う構成となり、双方向通信も可能となる第１の実施形態と比べて、本体ユニット２１及び操作ユニット２２それぞれの構成を簡単化できる。
【００６７】
（本体ユニット）
図８に示すように、本体ユニット２１は、第１の実施形態における本体ユニット２１（図２参照）の構成から、設定信号用通信回路１０６、液晶表示回路１０７、及び操作入力回路１０８を除いた構成となる。そして、図９に示すように、本体ユニット２１は、その化粧プレートが外された端面において、熱線センサ検出回路１０１の一部となる、熱線センサ１２１が突設されるとともに、アドレス設定用通信回路１０９の一部となる、光信号送受信部１２７及び受信表示ランプ１２８が設置される。
【００６８】
このように構成された本体ユニット２１は、専用線Ｌ２と接続されたセンサ信号用通信回路１０２において、操作ユニット２２から送信される設定信号を受信する。即ち、センサ信号用通信回路１０２は、一定電圧を給電している専用線Ｌ２の電圧値を監視し、その電圧値に低下により、熱線センサ検出回路１０１、子機ユニット２３、及び操作ユニット２２からの信号の受信を確認する。このとき、熱線センサ検出回路１０１及び子機ユニット２３からのセンサ信号は、そのパルス幅がランダムとなるパルス信号で構成される。それに対して、操作ユニット２２からの設定信号は、熱線センサ検出回路１０１及び子機ユニット２３からのセンサ信号と識別できるように、所定の規格により規定したパルス信号によって構成される。
【００６９】
尚、この設定信号に対する規格は、例えば、センサ信号を構成するパルスの電圧値と異なる電圧値で規定されるものであってもよいし、センサ信号を構成するパルスにおいて発生し得ないパルス幅で規定されるものであってもよい。又、設定信号の規格を、パルスの電圧値で設定する場合は、センサ信号を構成するパルスの電圧値よりも低い電圧値によってパルスを発生させることが好ましい。これにより、操作ユニット２２より設定信号を送信している間に、熱線センサ検出回路１０１又は子機ユニット２３のいずれかからセンサ信号が発生したとしても、センサ信号用通信回路１０２は、設定信号を識別できる。
【００７０】
よって、センサ信号用通信回路１０２が、熱線センサ検出回路１０１又は子機ユニット２３のいずれかからのセンサ信号を受信したときは、信号処理部１１１が、そのセンサ信号による検出結果を確認する。そして、伝送信号用通信回路１０４が、信号線Ｌｓを通じて、確認した検出結果に基づいた監視データを、ＣＰＵ１に対して返送して、負荷機器６のＯＮ／ＯＦＦを制御させる。一方、センサ信号用通信回路１０２が、操作ユニット２２からの設定信号を受信したときは、信号処理部１１１が、その設定信号より、変更する設定項目（動作保持時間又は明るさなど）と、変更する設定値とを認識する。そして、信号処理部１１１は、変更が求められた設定項目について、不揮発性メモリ１１０に記憶された設定値を、設定信号から確認した設定値に更新する。
【００７１】
（操作ユニット）
図１０に示すように、操作ユニット２２は、第１の実施形態の操作ユニット２２（図４参照）と異なり、設定信号用通信回路２０１及び電源回路２０２のそれぞれが専用線Ｌ２に接続されるとともに、液晶表示回路２０３が除かれた構成となる。そして、図１１に示すように、操作ユニット２２は、その化粧扉２２１を開いたとき、その表面上に、ボタン２２６と、動作保持時間を設定するための調整ツマミ２２８と、明るさの閾値を設定するための調整ツマミ２２９とが設置された構成となる。この調整ツマミ２２８，２２９は、例えば、操作入力回路２０４に構成される可変抵抗（不図示）と連動する構成とすることで、この可変抵抗の抵抗値により、調整ツマミ２２８，２２９それぞれで設定される値が認識される。尚、操作ユニット２２の裏面側は、第１の実施形態と同様、図５（ｂ）に示すような端子２２７を備え、この端子２２７に専用線Ｌ２が接続される。
【００７２】
このように構成される操作ユニット２２において、調整ツマミ２２８が操作されることによって、その調整ツマミ２２８が示す位置に応じた動作保持時間が、操作入力回路２０４に入力される。尚、第１の実施形態と同様、この動作保持時間を設定できる調整ツマミ２２８によって、本体ユニット２１のセンサ信号通信回路１０２からの検出結果を無効とすると同時に、負荷機器６を強制的にＯＮ又はＯＦＦとすることが、指定できる。又、調整ツマミ２２９が操作されることによって、その調整ツマミ２２９が示す位置に応じた明るさが、操作入力回路２０４に入力される。尚、第１の実施形態と同様、この明るさを設定できる調整ツマミ２２９によって、本体ユニット２１の明るさ検出回路１０３をＯＦＦとすることも指定できる。
【００７３】
そして、操作入力回路２０４は、ボタン２２６への操作入力を受け付けると、調整ツマミ２２８が示す位置で決定された動作保持時間と、調整ツマミ２２９が示す位置で決定された明るさとを、信号処理回路２０５に通知する。これにより、設定信号用通信回路２０１は、信号処理回路２０５に通知された動作保持時間及び明るさを、変更する設定値とする設定信号を生成し、この設定信号を本体ユニット２１に送信する。よって、本体ユニット２１は、この設定信号を受信することで、操作ユニット２２で設定された動作保持時間及び明るさを確認し、不揮発性メモリ１１０に記憶させる。
【００７４】
尚、本実施形態の熱線センサ用端末装置２においても、第１の実施形態の熱線センサ用端末装置２と同様、その操作ユニット２２が、図４に示す液晶表示回路２０３を備えるとともに、その操作入力回路２０４の一部として、ボタン２２３〜２２６（図５（ａ）参照）を備える構成としてもよい。このように構成するとき、操作ユニット２２は、本体ユニット２１に対して、設定変更の対象となる設定項目と、変更された設定値とによる設定信号を送信することができる。又、第１の実施形態の熱線センサ用端末装置２において、操作ユニット２２が本体ユニット２１に対して片方向通信を行う場合は、操作ユニット２２を、本実施形態における図１０及び図１１に示す構成と同様の構成とし、その構成を簡単なものとすることができる。
【符号の説明】
【００７５】
１                中央制御装置（ＣＰＵ）
２                熱線センサ用端末装置
３                スイッチ端末装置
４                操作スイッチ
５                制御端末装置
６                負荷機器
２１              本体ユニット
２２              操作ユニット
２３              子機ユニット
１０１            熱線センサ検出回路
１０２            センサ信号用通信回路
１０３            明るさ検出回路
１０４            伝送信号用通信回路
１０５            電源回路
１０６            設定信号用通信回路
１０７            液晶表示回路
１０８            操作入力回路
１０９            アドレス設定用通信回路
１１０            不揮発性メモリ
１１１            信号処理回路
１１２            タイマ回路
２０１            設定信号用通信回路
２０２            電源回路
２０３            液晶表示回路
２０４            操作入力回路
２０５            信号処理回路
２０６            カウンタ回路
【図１】
2010232799.tif 000003
【図２】
2010232799.tif 000004
【図３】
2010232799.tif 000005
【図４】
2010232799.tif 000006
【図５】
2010232799.tif 000007
【図６】
2010232799.tif 000008
【図７】
2010232799.tif 000009
【図８】
2010232799.tif 000010
【図９】
2010232799.tif 000011
【図１０】
2010232799.tif 000012
【図１１】
2010232799.tif 000013